(57)【要約】      （修正有）【課題】プレイヤーが楽曲の演出を任意に変化させることが可能な音楽ゲームを提供する。【解決手段】プレイヤーが行うゲームに用いられる楽曲が決定された際に、プレイヤーが選択した演出コンテンツに対応付けられた演出部分データが含まれるように、決定された楽曲に対応付けられた演出全体データの構成を変更する演出設定変更部１１１Ａと、ゲームの進行中に、変更された演出全体データに基づいて、決定された楽曲の進行に合わせた演出が行われるように制御する演出制御部１１１Ｂと、決定された楽曲の進行に合わせて移動する指示マークが所定位置に到達したタイミングで操作入力するようにプレイヤーに指示する操作指示部１１１Ｃと、プレイヤーの操作入力を受け付けた際に、操作指示部１１１Ｃの指示どおりに操作できたか否かに基づきゲーム評価を行なうゲーム評価部１１１Ｄを備える。【選択図】図２
2018008023.tif 000002
【特許請求の範囲】
【請求項１】
楽曲の進行に合わせた演出を行なうための演出全体データが前記楽曲に対応付けて設定された楽曲情報、前記演出全体データを構成することのできる演出部分データが演出コンテンツに対応付けて設定された演出コンテンツ情報、及び、プレイヤーの所有する１又は複数の演出コンテンツが前記プレイヤーに対応付けて設定されたプレイヤー情報を記憶する記憶部と、
プレイヤーが行うゲームに用いられる楽曲が決定された際に、前記プレイヤーが自己の所有する１又は複数の演出コンテンツの中から選択した演出コンテンツに対応付けられた演出部分データが含まれるように、決定された前記楽曲に対応付けられた演出全体データの構成を変更する演出設定変更部と、
前記ゲームの進行中に、変更された前記演出全体データに基づいて、決定された前記楽曲の進行に合わせた演出が行われるように制御する演出制御部と、
決定された前記楽曲の進行に合わせて移動する指示マークが所定位置に到達したタイミングで操作入力するように前記プレイヤーに指示する操作指示部と、
前記プレイヤーの操作入力を受け付けた際に、前記操作指示部の指示どおりに操作できたか否かに基づきゲーム評価を行なうゲーム評価部と、
を備えたことを特徴とする情報処理装置。
【請求項２】
請求項１に記載の情報処理装置であって、
前記記憶部は、前記楽曲に対応付けて設定された演出評価基準情報を記憶しており、
前記演出評価基準情報を参照して、変更された前記演出全体データに基づき行われた演出の評価を行なう演出評価部と、
を備えたことを特徴とする情報処理装置。
【請求項３】
請求項２に記載の情報処理装置であって、
前記演出評価部による評価結果に基づいて特典を付与する特典付与部と、
を備えたことを特徴とする情報処理装置。
【請求項４】
請求項３に記載の情報処理装置であって、
前記演出コンテンツ情報には、
演出コンテンツ毎に演出属性が対応付けて設定されており、
前記演出設定変更部は、
前記プレイヤーが自己の所有する１又は複数の演出コンテンツの中から同じ属性を持つ演出コンテンツを複数選択したことにより、その複数選択された同じ属性を持つ演出コンテンツの中からいずれか１つを所定条件に従って選択し、選択された１つの演出コンテンツに対応付けられた演出部分データが含まれるように、決定された前記楽曲に対応付けられた演出全体データの構成を変更する、
ことを特徴とする情報処理装置。
【請求項５】
請求項１乃至４のいずれかに記載の情報処理装置であって、
前記演出設定変更部は、
前記プレイヤーが自己の所有する１又は複数の演出コンテンツの中から、ゲームで用いるキャラクターに装備させる演出コンテンツを選択したことにより、その選択された演出コンテンツに対応付けられた演出部分データが含まれるように、決定された前記楽曲に対応付けられた演出全体データの構成を変更する、
ことを特徴とする情報処理装置。
【請求項６】
コンピューターに、
楽曲の進行に合わせた演出を行なうための演出全体データが前記楽曲に対応付けて設定された楽曲情報、前記演出全体データを構成することのできる演出部分データが演出コンテンツに対応付けて設定された演出コンテンツ情報、及び、プレイヤーの所有する１又は複数の演出コンテンツが前記プレイヤーに対応付けて設定されたプレイヤー情報を記憶部に記憶する処理と、
プレイヤーが行うゲームに用いられる楽曲が決定された際に、前記プレイヤーが自己の所有する１又は複数の演出コンテンツの中から選択した演出コンテンツに対応付けられた演出部分データが含まれるように、決定された前記楽曲に対応付けられた演出全体データの構成を変更する演出設定変更処理と、
前記ゲームの進行中に、変更された前記演出全体データに基づいて、決定された前記楽曲の進行に合わせた演出が行われるように制御する演出制御処理と、
決定された前記楽曲の進行に合わせて移動する指示マークが所定位置に到達したタイミングで操作入力するように前記プレイヤーに指示する操作指示処理と、
前記プレイヤーの操作入力を受け付けた際に、前記操作指示処理の指示どおりに操作できたか否かに基づきゲーム評価を行なうゲーム評価処理と、
を実行させることを特徴とするゲームプログラム。
【請求項７】
コンピューターが、
楽曲の進行に合わせた演出を行なうための演出全体データが前記楽曲に対応付けて設定された楽曲情報、前記演出全体データを構成することのできる演出部分データが演出コンテンツに対応付けて設定された演出コンテンツ情報、及び、プレイヤーの所有する１又は複数の演出コンテンツが前記プレイヤーに対応付けて設定されたプレイヤー情報を記憶部に記憶し、
プレイヤーが行うゲームに用いられる楽曲が決定された際に、前記プレイヤーが自己の所有する１又は複数の演出コンテンツの中から選択した演出コンテンツに対応付けられた演出部分データが含まれるように、決定された前記楽曲に対応付けられた演出全体データの構成を変更し、
前記ゲームの進行中に、変更された前記演出全体データに基づいて、決定された前記楽曲の進行に合わせた演出が行われるように制御し、
決定された前記楽曲の進行に合わせて移動する指示マークが所定位置に到達したタイミングで操作入力するように前記プレイヤーに操作指示し、
前記プレイヤーの操作入力を受け付けた際に、その操作指示どおりに操作できたか否かに基づきゲーム評価を行なう、
ことを特徴とする情報処理方法。
【発明の詳細な説明】
【技術分野】
【０００１】
本発明は、情報処理装置、ゲームプログラム、及び、情報処理方法に関する。
【背景技術】
【０００２】
従来、楽曲の進行に合わせて画面に表示される指示に対して、プレイヤーがタイミングよく操作入力を行うことにより、得点等の評価を競う音楽ゲーム（所謂、「音ゲー」とも言う）が知られている。例えば、特許文献１には、ゲーム内に登場するプレイヤーキャラクターに応じて楽曲データの変化内容を決定し、当該変化内容に応じて楽曲データを変化させて再生する音ゲーに関する技術が開示されている。
【先行技術文献】
【特許文献】
【０００３】
【特許文献１】特開２０１４−２００４５４号公報
【発明の概要】
【発明が解決しようとする課題】
【０００４】
特許文献１のゲームでは、キャラクターに応じて楽曲が変化することから、プレイヤーの興趣を高めることができる。しかし、楽曲を変化させることができるパターンはある程度に限られるため、プレイヤーが繰り返しプレイすることによっていずれ飽きてしまう虞がある。これに対して楽曲の演奏と共に画面に表示される演出（例えば、プレイヤーキャラクターの衣装や背景）を変化させるようにすれば、プレイヤーは視覚的にも楽曲を楽しむことができるようになる。特に、プレイヤー自身で楽曲の演出を任意に変化させることができれば、より飽き難く、また興趣を高めやすくすることができる。
【０００５】
本発明は、このような事情に鑑みてなされたものであり、その目的とするところは、プレイヤーが楽曲の演出を任意に変化させることが可能な音楽ゲームを提供することにある。
【課題を解決するための手段】
【０００６】
上記課題を解決するための本発明の主たる発明は、
楽曲の進行に合わせた演出を行なうための演出全体データが前記楽曲に対応付けて設定された楽曲情報、前記演出全体データを構成することのできる演出部分データが演出コンテンツに対応付けて設定された演出コンテンツ情報、及び、プレイヤーの所有する１又は複数の演出コンテンツが前記プレイヤーに対応付けて設定されたプレイヤー情報を記憶する記憶部と、
プレイヤーが行うゲームに用いられる楽曲が決定された際に、前記プレイヤーが自己の所有する１又は複数の演出コンテンツの中から選択した演出コンテンツに対応付けられた演出部分データが含まれるように、決定された前記楽曲に対応付けられた演出全体データの構成を変更する演出設定変更部と、
前記ゲームの進行中に、変更された前記演出全体データに基づいて、決定された前記楽曲の進行に合わせた演出が行われるように制御する演出制御部と、
決定された前記楽曲の進行に合わせて移動する指示マークが所定位置に到達したタイミングで操作入力するように前記プレイヤーに指示する操作指示部と、
前記プレイヤーの操作入力を受け付けた際に、前記操作指示部の指示どおりに操作できたか否かに基づきゲーム評価を行なうゲーム評価部と、
を備えたことを特徴とする情報処理装置である。
本発明の他の特徴については、本明細書及び添付図面の記載により明らかにする。
【図面の簡単な説明】
【０００７】
【図１】ゲームシステム１の全体構成例を示す図である。
【図２】サーバー装置１０の機能上の構成を示すブロック図である。
【図３】楽曲情報のデータ構造例を示す図である。
【図４】演出全体データの構造例を示す図である。
【図５】演出コンテンツ情報のデータ構造例を示す図である。
【図６】演出評価基準情報のデータ構造例を示す図である。
【図７】プレイヤー情報のデータ構造例を示す図である。
【図８】演出コンテンツ所有情報のデータ構造例を示す図である。
【図９】プレイヤー端末２０の機能上の構成を示すブロック図である。
【図１０】ゲームシステム１で音楽ゲーム（音ゲー）を開始する前の各種設定処理について説明するフローチャートである。
【図１１】プレイヤーキャラクターにシーンカードを装備させるためのゲーム画面（シーンカード装備画面５０）の一例を表す図である。
【図１２】ゲームシステム１で音楽ゲーム（音ゲー）が開始された後の各種処理について説明するフローチャートである。
【図１３】音楽ゲーム（音ゲー）をプレイする際のゲーム画面（プレイ画面６０）の一例について示す図である。
【発明を実施するための形態】
【０００８】
本明細書及び添付図面の記載により、少なくとも以下の事項が明らかとなる。
即ち、楽曲の進行に合わせた演出を行なうための演出全体データが前記楽曲に対応付けて設定された楽曲情報、前記演出全体データを構成することのできる演出部分データが演出コンテンツに対応付けて設定された演出コンテンツ情報、及び、プレイヤーの所有する１又は複数の演出コンテンツが前記プレイヤーに対応付けて設定されたプレイヤー情報を記憶する記憶部と、
プレイヤーが行うゲームに用いられる楽曲が決定された際に、前記プレイヤーが自己の所有する１又は複数の演出コンテンツの中から選択した演出コンテンツに対応付けられた演出部分データが含まれるように、決定された前記楽曲に対応付けられた演出全体データの構成を変更する演出設定変更部と、
前記ゲームの進行中に、変更された前記演出全体データに基づいて、決定された前記楽曲の進行に合わせた演出が行われるように制御する演出制御部と、
決定された前記楽曲の進行に合わせて移動する指示マークが所定位置に到達したタイミングで操作入力するように前記プレイヤーに指示する操作指示部と、
前記プレイヤーの操作入力を受け付けた際に、前記操作指示部の指示どおりに操作できたか否かに基づきゲーム評価を行なうゲーム評価部と、
を備えたことを特徴とする情報処理装置である。
このような情報処理装置によれば、ゲームをプレイする楽曲について、プレイヤー自身が演出コンテンツを組み合わせて設定することにより、楽曲に合わせて行われる演出の内容を自在にカスタマイズすることができる。これにより、プレイヤーの興趣を高めやすい音楽ゲームを実現することができる。
【０００９】
また、かかる情報処理装置であって、前記記憶部は、前記楽曲に対応付けて設定された演出評価基準情報を記憶しており、
前記演出評価基準情報を参照して、変更された前記演出全体データに基づき行われた演出の評価を行なう演出評価部と、
を備えたこととしても良い。
このような情報処理装置によれば、プレイヤーは、或る楽曲について映画の名シーンを再現した演出を設定して楽しむ等、ゲームの楽しみ方の幅を広げることができる。その際、プレイヤーがカスタマイズした演出について、ゲームのプレイ内容の評価とは独立した基準に基づいて評価が行われるため、プレイヤーは、演出にこだわり過ぎてゲームの得点が低くってしまう等のことを気にすることなく、様々な演出を組み合わせて楽曲を楽しむことができるようになる。
【００１０】
また、かかる情報処理装置であって、前記演出評価部による評価結果に基づいて特典を付与する特典付与部と、
を備えたこととしても良い。
このような情報処理装置によれば、プレイヤーは、映画の有名なシーン等になるべく近い演出を再現することにより、より高い演出評価を受けて特典を得ることができる。したがって、高い評価が得られる演出を再現すべく、プレイヤーに演出を様々にカスタマイズさせる動機付けとなる。これにより、ゲームの遊び方の幅を広げたりゲームの興趣をより高めたりすることができる。
【００１１】
また、かかる情報処理装置であって、前記演出コンテンツ情報には、
演出コンテンツ毎に演出属性が対応付けて設定されており、
前記演出設定変更部は、
前記プレイヤーが自己の所有する１又は複数の演出コンテンツの中から同じ属性を持つ演出コンテンツを複数選択したことにより、その複数選択された同じ属性を持つ演出コンテンツの中からいずれか１つを所定条件に従って選択し、選択された１つの演出コンテンツに対応付けられた演出部分データが含まれるように、決定された前記楽曲に対応付けられた演出全体データの構成を変更する、こととしても良い。
このような情報処理装置によれば、プレイヤーが同じ属性を有する複数の演出コンテンツを選択した場合であって、そのうちの１つの演出コンテンツに基づいて、演出が行われる。したがって、プレイヤーは、演出の内容よりもプレイの評価を優先して同じ属性を有する演出を設定すること等も可能となり、演出設定時の戦略性が高くなり、ゲームの興趣がより高まる。
【００１２】
また、かかる情報処理装置であって、前記演出設定変更部は、
前記プレイヤーが自己の所有する１又は複数の演出コンテンツの中から、ゲームで用いるキャラクターに装備させる演出コンテンツを選択したことにより、その選択された演出コンテンツに対応付けられた演出部分データが含まれるように、決定された前記楽曲に対応付けられた演出全体データの構成を変更する、こととしても良い。
このような情報処理装置によれば、プレイヤーキャラクターに演出コンテンツを装備させることにより、演出をカスタマイズすることができる。これにより、楽曲、キャラクター、演出が組み合わされて総合的に変化することから、ゲームの楽しみ方の幅がより広くなり、プレイヤーの興趣を高めやすい音楽ゲームを実現することができる。
【００１３】
次に、コンピューターに、
楽曲の進行に合わせた演出を行なうための演出全体データが前記楽曲に対応付けて設定された楽曲情報、前記演出全体データを構成することのできる演出部分データが演出コンテンツに対応付けて設定された演出コンテンツ情報、及び、プレイヤーの所有する１又は複数の演出コンテンツが前記プレイヤーに対応付けて設定されたプレイヤー情報を記憶部に記憶する処理と、
プレイヤーが行うゲームに用いられる楽曲が決定された際に、前記プレイヤーが自己の所有する１又は複数の演出コンテンツの中から選択した演出コンテンツに対応付けられた演出部分データが含まれるように、決定された前記楽曲に対応付けられた演出全体データの構成を変更する演出設定変更処理と、
前記ゲームの進行中に、変更された前記演出全体データに基づいて、決定された前記楽曲の進行に合わせた演出が行われるように制御する演出制御処理と、
決定された前記楽曲の進行に合わせて移動する指示マークが所定位置に到達したタイミングで操作入力するように前記プレイヤーに指示する操作指示処理と、
前記プレイヤーの操作入力を受け付けた際に、前記操作指示処理の指示どおりに操作できたか否かに基づきゲーム評価を行なうゲーム評価処理と、
を実行させることを特徴とするゲームプログラムである。
このようなゲームプログラムによれば、ゲームをプレイする楽曲について、プレイヤー自身が演出コンテンツを組み合わせて設定することにより、楽曲に合わせて行われる演出の内容を自在にカスタマイズすることができる。
【００１４】
次に、コンピューターが、
楽曲の進行に合わせた演出を行なうための演出全体データが前記楽曲に対応付けて設定された楽曲情報、前記演出全体データを構成することのできる演出部分データが演出コンテンツに対応付けて設定された演出コンテンツ情報、及び、プレイヤーの所有する１又は複数の演出コンテンツが前記プレイヤーに対応付けて設定されたプレイヤー情報を記憶部に記憶し、
プレイヤーが行うゲームに用いられる楽曲が決定された際に、前記プレイヤーが自己の所有する１又は複数の演出コンテンツの中から選択した演出コンテンツに対応付けられた演出部分データが含まれるように、決定された前記楽曲に対応付けられた演出全体データの構成を変更し、
前記ゲームの進行中に、変更された前記演出全体データに基づいて、決定された前記楽曲の進行に合わせた演出が行われるように制御し、
決定された前記楽曲の進行に合わせて移動する指示マークが所定位置に到達したタイミングで操作入力するように前記プレイヤーに操作指示し、
前記プレイヤーの操作入力を受け付けた際に、その操作指示どおりに操作できたか否かに基づきゲーム評価を行なう、
ことを特徴とする情報処理方法である。
このような情報処理方法によれば、ゲームをプレイする楽曲について、プレイヤー自身が演出コンテンツを組み合わせて設定することにより、楽曲に合わせて行われる演出の内容を自在にカスタマイズすることができる。
【００１５】
＝＝＝実施形態＝＝＝
＜＜ゲームシステム１の構成＞＞
図１は、本実施形態に係るゲームシステム１の全体構成の一例を示す図である。ゲームシステム１は、ネットワーク２（例えば、インターネット等）を介してゲームに関する各種サービスをプレイヤーに提供するものであり、サーバー装置１０と、複数のプレイヤー端末２０と、を含んで構成される。
【００１６】
本実施形態に係るゲームシステム１は、ゲームコンテンツの一例としての演出カード（以下、「シーンカード」とも呼ぶ）を用いて行う音楽ゲーム（音ゲー）をプレイヤーに提供することができる。
【００１７】
音ゲーにおいて、プレイヤーは、演奏される楽曲に合わせてゲーム画面上に表示される指示マークにタイミングを合わせて操作指示を行う。例えば、画面上を移動する指示マークが所定のポイント（ターゲット）に重なった瞬間に操作指示を入力することで、タイミングに応じて得点が加算され、タイミングのずれが小さいほど高い得点が得られる。
【００１８】
このような音ゲーとして、ゲーム画面上にキャラクターが登場して楽曲に合わせてダンスをしたり、背景が変化したりする「演出」が行われ、あたかもアーティストのライブに参加しているような感覚をプレイヤーに提供することが可能なものがある。従来の音ゲーでは、このような「演出」が楽曲ごとに固定されていたため、プレイヤーは繰り返しゲームをプレイするうちに当該演出に飽きてしまう虞があった。
【００１９】
そこで、本実施形態の音楽ゲームでは、プレイヤーが楽曲ごとに演出カード（シーンカード）を選択することにより、当該楽曲が演奏される際の演出をプレイヤー自身が決定することができるようにしている。また、このシーンカードの選択によってゲームの得点が変化したり、特典が得られたりする。つまり、プレイヤーが楽曲の演出を任意に変化させることでゲーム性を広げることが可能となり、より興趣を高めることができる。
【００２０】
＜＜サーバー装置１０の構成＞＞
図２は、サーバー装置１０の機能上の構成を示すブロック図である。サーバー装置１０は、システム管理者等が各種サービスを運営・管理する際に利用する情報処理装置（例えば、ワークステーションやパーソナルコンピューター等）である。サーバー装置１０は、プレイヤー端末２０から各種のコマンド（リクエスト）を受信すると、プレイヤー端末２０上で動作可能なゲームプログラム・各種データや、プレイヤー端末２０の規格に合わせたマークアップ言語（ＨＴＭＬ等）で作成されたＷｅｂページ（ゲーム画面等）を送信（レスポンス）する。サーバー装置１０は、制御部１１と、記憶部１２と、入力部１３と、表示部１４と、通信部１５と、を有する。
【００２１】
制御部１１は、各部間のデータの受け渡しを行うと共に、サーバー装置１０全体の制御を行うものであり、ＣＰＵ（Central Processing Unit）が所定のメモリに格納されたプログラムを実行することによって実現される。本実施形態における制御部１１は、少なくとも、ゲーム進行処理部１１１、画面データ生成部１１２を備える。
【００２２】
ゲーム進行処理部１１１は、ゲームプログラムに従ってゲームを進行させる各種処理を実行する機能を有している。本実施形態のゲーム進行処理部１１１は、演出設定変更部１１１Ａ、演出制御部１１１Ｂ、操作指示部１１１Ｃ、ゲーム評価部１１１Ｄ、演出評価部１１１Ｅ、特典付与部１１１Ｆを少なくとも備えている。
【００２３】
演出設定変更部１１１Ａは、音ゲーにおいてプレイされる楽曲に対応付けられた演出全体データの構成を変更する機能を有している。本実施形態では、楽曲ごとに予め所定の演出が設定されており、当該演出の種類（例えば、キャラクターの衣装や背景）が演出全体データとして記憶されている。演出設定変更部１１１Ａは、この演出全体データを、プレイヤーが選択した演出コンテンツ（シーンカード）に応じて変更し、楽曲の再生時に行われる演出をカスタマイズする。音ゲーにおいて行われる「演出」や演出全体データ等についての詳細は、後で説明する。
【００２４】
演出制御部１１１Ｂは、ゲームの進行中に、楽曲ごとに設定されている演出全体データに基づいて、楽曲の進行に合わせた演出が行われるように制御する機能を有している。本実施形態の演出制御部１１１Ｂは、ゲームが行われる楽曲について、演出設定変更部１１１Ａによって変更された演出全体データに基づいて、プレイヤーが選択したシーンカードに応じた演出を実施する。
【００２５】
操作指示部１１１Ｃは、楽曲の進行に合わせて移動する指示マークが所定位置（ターゲット）に到達したタイミングで操作入力するようにプレイヤーに指示する機能を有している。本実施形態の操作指示部１１１Ｃは、選択された楽曲の種類や難易度に応じて指示マークを移動させる際の速度や軌跡を変化させることができる。
【００２６】
ゲーム評価部１１１Ｄは、プレイヤーの操作入力を受け付けた際に、操作指示部１１１Ｃの指示どおりに操作できたか否かに基づきゲーム評価を行なう機能を有している。例えば、画面上を移動する指示マークの中心が、ターゲットの中心とぴったり重なったタイミング（又はターゲットの中心から所定範囲内と重なったタイミング）で操作入力が行われた場合には高得点を加算し、指示マークの中心とターゲットの中心とが大きくずれたタイミングで操作入力が行われた場合には、プレイヤーのパラメーターを減少させる等の処理が行われる。
【００２７】
演出評価部１１１Ｅは、楽曲に対応付けて設定されている演出評価基準情報を参照して、演出設定変更部１１１Ａによって変更された演出全体データに基づき行われた演出の評価を行なう機能を有している。例えば、或る楽曲Ａについて映画等の名シーンを再現した演出全体情報Ｘが演出評価基準情報として設定されている場合、演出評価部１１１Ｅは、プレイヤーがシーンカードを選択することによって変更された演出全体情報Ｙと、演出評価基準情報としての演出全体情報Ｘとを比較して、両者がどの程度一致しているのかを評価する。プレイヤーによって変更された演出全体情報Ｙが演出全体情報Ｘに近いほど、映画の名シーンがより正確に再現されたものとして、当該プレイヤーの選択によって変更された演出（演出全体情報Ｙ）が高く評価される。
【００２８】
特典付与部１１１Ｆは、演出評価部１１１Ｅによる演出評価の結果に基づいてプレイヤーに特典を付与する機能を有している。特典については後で説明する。
【００２９】
画面データ生成部１１２は、ゲーム画面をプレイヤー端末２０に表示させるための画面データを生成する処理を実行する機能を有している。本実施形態における画面データ生成部１１２は、ゲーム画面に対応する画面データとしてＨＴＭＬデータを生成する。
【００３０】
記憶部１２は、システムプログラムが記憶された読み取り専用の記憶領域であるＲＯＭ（Read Only Memory）と、制御部１１による演算処理のワーク領域として使用される書き換え可能な記憶領域であるＲＡＭ（Random Access Memory）とを有しており、例えば、フラッシュメモリやハードディスク等の不揮発性記憶装置によって実現される。本実施形態における記憶部１２は、楽曲情報、演出コンテンツ情報、演出評価基準情報、プレイヤー情報等の各種データを記憶する。
【００３１】
入力部１３は、システム管理者等が各種データ（例えば、アイテム情報やキャラクター情報等）を入力するためのものであり、例えば、キーボードやマウス等によって実現される。
【００３２】
表示部１４は、制御部１１からの指令に基づいてシステム管理者用の操作画面を表示するためのものであり、例えば、液晶ディスプレイ（ＬＣＤ：Liquid Crystal Display）等によって実現される。
【００３３】
通信部１５は、ネットワーク２を介してプレイヤー端末２０との間で各種情報の送受信を行うための送受信部として機能するものであり、例えば、ＮＩＣ（Network Interface Card）等によって実現されるものである。
【００３４】
図３は、楽曲情報のデータ構造例を示す図である。この楽曲情報には、楽曲ＩＤに対応付けて、少なくとも、曲名及び演出全体データが設定されている。図４は、演出全体データの構造例を示す図である。演出全体データは、複数種類の演出部分データを組み合わせることによって構成されている。本実施形態において、演出部分データは、楽曲中において演出を行う要素として、少なくとも「背景データ」、「キャラモーションデータ」、「キャラ登場データ」、「衣装データ」の４種類の属性について設定されている。この演出部分データは、属性毎にそれぞれ複数設けられており、多数の演出部分データの中から所定の演出部分データを適宜組み合わせることによって演出全体データが構成され、楽曲毎にどのような演出が行われるかが設定される。例えば、図４の演出全体データ（１）は、演出部分データ０００１（背景）と、演出部分データ１００５（衣装）と、演出部分データ２０２３（モーション）が組み合わされることにより、構成されている。
【００３５】
ここで、「背景データ」は、音ゲーで楽曲をプレイする際に、ゲーム画面の背景に関する演出を規定するデータである。「キャラモーションデータ」は、楽曲をプレイする際に、プレイヤーが設定したキャラクター（以下、「プレイヤーキャラクター」とも呼ぶ）の動作（例えば、ダンス等）に関する演出を規定するデータである。「キャラ登場データ」は、楽曲のプレイ中に、プレイヤーが設定したキャラクター以外の他のキャラクター（以下、「ゲストキャラクター」とも呼ぶ）をゲーム画面上に登場させる演出を規定するデータである。「衣装データ」は、楽曲をプレイする際にゲーム画面上でプレイヤーキャラクターが装着する衣装に関する演出を規定するデータである。なお、演出部分データは、上述した４種類に限られるものではなく、これ以外の他の種類のデータが設定されていても良い。
【００３６】
図５は、演出コンテンツ情報のデータ構造例を示す図である。この演出コンテンツ情報には、演出ＩＤに対応付けて、少なくとも、演出名、演出属性、演出部分データ、及び、付加パラメーターが設定されている。演出属性は上述した４種類があり、各属性を有する演出部分データがシーンカード（演出コンテンツ）に紐づけられている。付加パラメーターは、音ゲーにおいて楽曲をプレイする際に、各プレイヤーの基礎パラメーターに加算されるパラメーターである。本実施形態では、付加パラメーターとして、例えば「歌唱力」、「ダンス」、「魂」等の各種パラメーターが設定されており、選択されたシーンカードに応じて、プレイヤーのパラメーターを一時的に高めることができる。このパラメーターは、ゲーム評価部１１１Ｄがゲーム評価を行なう際の指標の一つとなる。
【００３７】
図６は、演出評価基準情報のデータ構造例を示す図である。この演出評価基準情報には、少なくとも、楽曲ＩＤに対応付けて、１以上の演出コンテンツ情報が設定されている。上述したように、演出評価基準情報は、映画等の名シーンを再現した演出全体情報である。例えば、或る映画で、星空をバックに２人のキャラクターが楽曲Ａに合わせてダンスを踊る有名なシーンがあったとする。この場合、楽曲Ａに対応付けて、適当な「背景データ」、「キャラモーションデータ」、「キャラ登場データ」が組み合わされることにより、当該名シーンを再現した演出全体情報が演出評価基準情報として設定されている。
【００３８】
図７は、プレイヤー情報のデータ構造例を示す図である。このプレイヤー情報には、プレイヤーＩＤに対応付けて、少なくとも、プレイヤー名、基礎パラメーター、プレイヤーが所有しているシーンカード（演出コンテンツ）に関する情報である演出コンテンツ所有情報、及び、プレイヤー毎のゲーム進行に関する情報であるゲーム進行情報が設定されている。ゲーム進行情報としては、例えば、ゲーム内における現在のプレイヤーのランクや経験値、ゲーム内通貨獲得状況、ゲームへのログイン回数等が設定されている。
【００３９】
図８は、演出コンテンツ所有情報のデータ構造例を示す図である。この演出コンテンツ所有情報には、各プレイヤーが現時点で所有しているシーンカード（演出コンテンツ）が全て記憶されている。各プレイヤーは、ゲームをプレイする際に、自身が所有するシーンカードの中から所望のシーンカードを選択して使用することができる。
【００４０】
＜＜プレイヤー端末２０の構成＞＞
図９は、プレイヤー端末２０の機能上の構成を示すブロック図である。プレイヤー端末２０は、プレイヤーが所持し利用することができる情報処理装置（例えば、タブレット端末、携帯電話端末、スマートフォン等）である。プレイヤー端末２０は、Ｗｅｂブラウザ機能を有しているため、サーバー装置１０から送信されたＷｅｂページ（ゲーム画面等）を画面表示することができる。プレイヤー端末２０は、プレイヤー端末２０全体の制御を行う端末制御部２１と、各種データ・プログラムを記憶する端末記憶部２２と、プレイヤーが操作入力を行うための端末入力部２３と、ゲーム画面・操作画面を表示する端末表示部２４と、サーバー装置１０との間で情報通信を行う端末通信部２５を有している。
【００４１】
＜＜ゲームシステム１の動作＞＞
図１０は、ゲームシステム１で音楽ゲーム（音ゲー）を開始する前の各種設定処理について説明するフローチャートである。
【００４２】
先ず始めに、プレイヤーがゲームをする楽曲を選択して決定する（ステップＳ１０１）。画面データ生成部１１２は、プレイヤーに選択させるための複数の楽曲を表示した楽曲選択画面（不図示）を生成してプレイヤー端末２０の端末表示部２４に表示させる。プレイヤーは当該画面からプレイしたい楽曲を選択し、決定する。また、楽曲を選択する際に、ゲームの難易度が選択されるようにしても良い。例えば、選択された難易度に応じて、ゲーム画面に一度に登場する指示マークの数や指示マークの移動速度が変化するようにしても良い。
【００４３】
次いで、プレイヤーは、Ｓ１０１で選択した楽曲で使用するキャラクター（プレイヤーキャラクター）を選択して決定する（ステップＳ１０２）。プレイヤーは、予め設定されている複数種類のプレイヤーキャラクターの中からゲームに使用する一人または複数人のプレイヤーキャラクターを選択する。
【００４４】
次いで、プレイヤーは、選択されたプレイヤーキャラクターに装備するシーンカード（演出コンテンツ）を決定する（ステップＳ１０３）。本実施形態では、プレイヤーキャラクターに所定数のシーンカードを装備させることにより、装備されたシーンカードに応じて楽曲中の演出が変化する。図１１は、プレイヤーキャラクターにシーンカードを装備させるためのゲーム画面（シーンカード装備画面５０）の一例を表す図である。図１１のシーンカード装備画面５０には、プレイヤーが選択した楽曲が表示される楽曲表示領域５１と、プレイヤーが選択したプレイヤーキャラクターが表示されるプレイヤーキャラクター表示領域５２と、プレイヤーキャラクターにシーンカードを装備させるシーンカードスロット５３と、プレイヤーが現在所有しているシーンカードの一覧が示されるシーンカード表示領域５４とが示されている。
【００４５】
シーンカード装備画面５０に示されるシーンカードスロット５３には、第１スロット５３１〜第４スロット５３４の４つのスロットが設けられている。プレイヤーは、シーンカード表示領域５４に表示されているシーンカードの一覧から所望のシーンカードを選択して、第１スロット５３１〜第４スロット５３４にそれぞれ１枚ずつシーンカードを設定する。これにより、プレイヤーキャラクターにシーンカードが装備される。
【００４６】
上述したように、シーンカードにはそれぞれ所定の演出属性が設定されている（図５参照）。プレイヤーは４つのシーンカードスロット５３に互いに異なる４種類の属性のシーンカードを装備することにより、プレイする楽曲において４種類の演出効果（背景、キャラモーション、ゲストキャラ登場、衣装）を自在に組み合わせて設定することができる。このとき、プレイヤーが設定した演出効果を簡易的に再現したゲーム画面がプレイヤーキャラクター表示領域５２に表示されるようにしても良い。このようにすれば、プレイヤーは演出の効果を視覚的に確認しながら所望の演出を再現しやすくなる。
【００４７】
一方、プレイヤーは、同じ種類の演出属性（例えば衣装）を有するシーンカードを複数枚同時に装備することも可能である。この場合、複数のシーンカードの中から所定の条件に従って１つのシーンカードが選択される。本実施形態では、所定の条件の一例として、所定の優先スロット（例えば第１スロット５３１）に装備されたシーンカードに対応する演出が優先して発動するようにする。例えば、プレイヤーが「衣装」の属性を有するシーンカードを４枚選択し、４つのシーンカードスロット５３１〜５３４にそれぞれ装備した場合、プレイヤーキャラクターの衣装に関する演出は、第１スロット５３１に装備されたシーンカードに対応した衣装のデータ（演出部分データ）に基づいて決定される。
【００４８】
また、本実施形態のシーンカードには、それぞれ演出のデータと、付加パラメーターとが設定されていることから、プレイヤーが楽曲における演出を優先して装備を決定するのか（演出評価で高評価を狙うか）、付加パラメーターの値を優先して装備を決定するのか（ゲーム評価で高評価を狙うか）によって、ゲームの進行状況等が変化する。すなわち、プレイヤーに高度な戦略性が要求され、ゲームの興趣を高めることができる。
【００４９】
なお、シーンカードスロット５３は、初めは第１スロット５３１のみが使用可能であり、ゲームの進捗やプレイヤーのランクに応じて第２スロット５３２以降が解放されて使用可能となる構成であっても良い。このようにすれば、プレイヤーがゲームをプレイする際に、初めは単純な演出しか実施できないが、ゲームをやり込むほど複雑な演出を実施することが可能となることから、ゲームの興趣がより高まる。
【００５０】
次いで、図１０に戻って、演出設定変更部１１１Ａは、Ｓ１０３で設定されたシーンカードに対応付けられた演出部分データが含まれるように、Ｓ１０１で選択された楽曲に対応付けられた演出全体データの構成を変更する（ステップＳ１０４）。これにより、ゲーム開始前の各種処理が完了する。
【００５１】
図１２は、ゲームシステム１で音楽ゲーム（音ゲー）が開始された後の各種処理について説明するフローチャートである。図１３は、音楽ゲーム（音ゲー）をプレイする際のゲーム画面（プレイ画面６０）の一例について示す図である。
【００５２】
ゲームが開始されると、図１３に示されるようなプレイ画面６０がプレイヤー端末２０の端末表示部２４に表示される。プレイ画面６０には、プレイヤーキャラクターが楽曲に合わせてダンス等をするステージが表示されるステージ表示領域６１と、ステージの背景が表示される背景表示領域６２と、選択中の楽曲名やキャラクター名、ゲームの得点等に関する各種情報が表示される情報表示領域６３とが示されている。また、プレイ画面６０には、様々な軌跡を描きながらゲーム画面６０上を移動（例えば図１３の矢印方向に移動）する１以上の指示マーク６５と、ゲーム画面６０上の所定位置に設けられたターゲット６６とが表示される。操作指示部１１１Ｃは、いずれか１箇所のターゲット６６を必ず通過するように指示マーク６５を移動させる。
【００５３】
演出制御部１１１Ｂは、プレイ画面６０上で楽曲の進行に合わせて所定の演出を実行する（ステップＳ２０１）。この演出は、プレイヤーキャラクターに装備されたシーンカードに設定されている演出部分データに基づいて実施される。例えば、「衣装」の属性を有するシーンカードが装備されていた場合、ステージ表示領域６１に表示されるプレイヤーキャラクターの衣装が当該「衣装」のシーンカードに設定されている演出部分データ（衣装のデータ）に基づいて変更される。また、「背景」の属性を有するシーンカードが装備されていた場合、背景表示領域６２が当該「背景」のシーンカードに設定されている演出部分データ（背景のデータ）に基づいて変更され、例えば、流れ星が流れる等の演出が行われる。このように、プレイヤーキャラクターにシーンカードを装備させることによって変更された演出全体データに基づいて、楽曲に進行に合わせた種々の演出が行われる。
【００５４】
プレイヤーは、このプレイ画面６０において、演奏される楽曲に合わせて画面上を移動する指示マーク６５がターゲット６６と重なるタイミングで端末表示部２４を画面タッチ（タップ）して、順次操作入力を行い、制御部１１によって当該操作入力が受け付けられる（ステップＳ２０２）。
【００５５】
次いで、ゲーム評価部１１１Ｄは、プレイヤーからの操作入力を受け付けて、ゲームの評価を行う（ステップＳ２０３）。上述したように、ゲームの評価はプレイ内容の評価のことであり、プレイヤーによる操作入力と、操作指示部の指示とのタイミングのずれに基づいて評価が行われ、タイミングのずれが小さいほど評価が高くなり、タイミングのずれが大きいほど評価が低くなる。そして、評価が行われる度に、その結果が「Ｇｏｏｄ」や「Ｂａｄ」などの文字や記号としてゲーム画面６０に表示されるようにしても良い。楽曲の演奏されている間、このような評価が繰り返され、評価の結果が得点として加算され、楽曲終了時に総得点が表示される。
【００５６】
なお、ゲーム評価部１１１Ｄによってゲームの評価が行われる際に、プレイヤーのパラメーターが参照されるようにしても良い。例えば、操作指示に対してプレイヤーによる操作入力のタイミングがずれた場合、パラメーターの値が減少していき、楽曲終了時に残存しているパラメーターの値が大きいほど高い評価を得られるようにする。このようにすれば、プレイヤーキャラクターに装備させたシーンカードに設定されている付加パラメーターの大小によって、評価内容が大きく変動する場合があるため、シーンカードの選択がより重要となる。
【００５７】
次いで、演出評価部１１１Ｅは、記憶部１２に記憶されている演出評価基準情報を参照して、楽曲に合わせて行われた演出の評価を行う（ステップＳ２０４）。この演出の評価では、ステップＳ１０３においてプレイヤーキャラクターに装備されたシーンカード（演出部分データ）に基づいて変更された演出全体データと、ゲームでプレイされた楽曲について演出評価基準情報として予め設定されている映画等の名場面に対応する演出全体データとが、どの程度一致しているかについて評価される。すなわち、演出評価は、ステップＳ２０３で行われるゲーム評価とは異なる独立した基準に基づいて行われる。
【００５８】
ゲームにおけるプレイ内容の評価と、演出の評価とが独立して行われるため、プレイヤーに様々な楽しみを提供することができる。例えば、或るプレイヤーは楽曲中の演出よりも最終的に高得点を取ることを優先してゲームをプレイし、また、或るプレイヤーはなるべく多くのパターンの演出を実施することを優先してゲームをプレイする等、各々のプレイヤーに多彩な楽しみ方を提供することができる。
【００５９】
次いで、特典付与部１１１Ｆは、ステップＳ２０４の演出評価の結果に基づいて、プレイヤーに所定の特典を付与する処理を行う（ステップＳ２０５）。所定の特典としては、例えば、シーンカードに設定されている付加パラメーターを上昇させるためのシーン成長アイテム等がある。プレイヤーはシーンカードに対してシーン成長アイテムを使用することで、シーンカード自体を成長させることができる。また、プレイヤーは、ゲーム内報酬や所定の抽選手段によって当該シーン成長アイテムを入手することができるが、ステップＳ２０３で付与される特典として、当該シーン成長アイテムの入手確率を高くする等の処理が行われるのであっても良い。
【００６０】
図１０及び図１２で説明したような流れで、１回のゲーム（楽曲）が終了する。これにより、プレイヤー自身で楽曲の演出を任意に変化させることが可能となり、プレイヤーの興趣を高めやすい音楽ゲームが実現される。
【００６１】
＝＝＝その他の実施形態＝＝＝
上記の実施の形態は、本発明の理解を容易にするためのものであり、本発明を限定して解釈するためのものではない。本発明は、その趣旨を逸脱することなく、変更、改良され得ると共に、本発明にはその等価物も含まれる。特に、以下に述べる実施形態であっても、本発明に含まれるものである。
【００６２】
＜ゲーム評価と演出評価との関連性＞
上記の実施形態では、ゲーム評価（プレイ内容の評価）と演出評価とが独立して行われる場合を例に挙げて説明したが、そのゲーム評価と演出評価を関連させることも可能である。例えば、演出評価が高い場合にはゲーム評価にもそれが反映され、本来のゲーム評価よりも高く評価することもできる。また例えば、プレイヤーの操作入力と操作指示部の指示とのタイミングのずれに基づいてゲーム評価を行なう際に、演出評価が高い場合には、本来得られるポイントよりも高いポイントをパラメーターに加算することも可能である。また例えば、ゲーム評価が高い場合には演出評価にもそれが反映され、本来よりも多くの特典（シーン成長アイテムの個数を増やす、特別なキャラクターやアイテムを別途付与する等）を付与したりすることも可能である。
【００６３】
＜演出部分データ＞
上記の実施形態では、シーンカードに紐づけられた演出部分データに「発動条件」を含めることも可能である。つまり、シーンカードをスロットにセットした場合でも、「発動条件」が成立しない限り、演出効果を発揮できないようにすることも可能である。発動条件としては、例えば、プレイヤーの操作入力と操作指示部の指示とのタイミングのずれに基づいてゲーム評価を行なった際に、高い評価（例えば「Ｇｏｏｄ」）が所定回数だけ連続したこと、プレイヤーのパラメーターが所定値以上であること等でもよい。
【００６４】
＜サーバー装置＞
上記の実施形態では、サーバー装置の一例として１台のサーバー装置１０を備えたゲームシステム１を例に挙げて説明したが、これに限らず、サーバー装置の一例として複数台のサーバー装置１０を備えたゲームシステム１としても良い。すなわち、複数台のサーバー装置１０がネットワーク２を介して接続され、各サーバー装置１０が各種処理を分散して行うようにしても良い。
【００６５】
＜情報処理装置＞
上記の実施形態におけるゲームシステム１では、ゲームプログラムに基づきサーバー装置１０及びプレイヤー端末２０を協働させて各種情報処理を実行する場合を例に挙げて説明したが、これに限定されるものではなく、情報処理装置としてのプレイヤー端末２０単体、または、サーバー装置１０単体が、ゲームプログラムに基づき上記の各種情報処理を実行するようにしても良い。
また、情報処理装置としての機能の一部をプレイヤー端末２０が担う構成としても良い。この場合には、サーバー装置１０及びプレイヤー端末２０が情報処理装置を構成する。
なお、情報処理装置はプロセッサー及びメモリを備えるコンピューターの一例である。
【符号の説明】
【００６６】
１  ゲームシステム
２  ネットワーク
１０  サーバー装置
１１  制御部
１２  記憶部
１３  入力部
１４  表示部
１５  通信部
２０  プレイヤー端末
２１  端末制御部
２２  端末記憶部
２３  端末入力部
２４  端末表示部
２５  端末通信部
５０  シーンカード装備画面
５１  楽曲表示領域
５２  プレイヤーキャラクター表示領域
５３  シーンカードスロット
５４  シーンカード表示領域
６０  プレイ画面
６１  ステージ表示領域
６２  背景表示領域
６３  情報表示領域
６５  指示マーク
６６  ターゲット
１１１  ゲーム進行処理部
１１１Ａ  演出設定変更部
１１１Ｂ  演出制御部
１１１Ｃ  操作指示部
１１１Ｄ  ゲーム評価部
１１１Ｅ  演出評価部
１１１Ｆ  特典付与部
１１２  画面データ生成部
【図１】
2018008023.tif 000003
【図２】
2018008023.tif 000004
【図３】
2018008023.tif 000005
【図４】
2018008023.tif 000006
【図５】
2018008023.tif 000007
【図６】
2018008023.tif 000008
【図７】
2018008023.tif 000009
【図８】
2018008023.tif 000010
【図９】
2018008023.tif 000011
【図１０】
2018008023.tif 000012
【図１１】
2018008023.tif 000013
【図１２】
2018008023.tif 000014
【図１３】
2018008023.tif 000015